(57)【要約】  少なくとも調理開始の段階でユーザによる水蒸気の供給量の調整を可能にすること。本発明の加熱調理器（１）は、ユーザが表示操作部（５）によって指示した水蒸気の供給量となるように、水蒸気発生部（１１）による水蒸気の供給を制御する制御部（１０）を備える。
2020017453.tif 000002
【特許請求の範囲】
【請求項１】
少なくとも水蒸気を用いた水蒸気調理を行う加熱調理器であって、
上記水蒸気を発生して加熱庫内に供給する水蒸気発生部と、
上記水蒸気調理に必要な水蒸気の供給量をユーザが指示する指示入力部と、
上記指示入力部によって指示された水蒸気の供給量となるように、上記水蒸気発生部による水蒸気の供給量を制御する制御部と、
を備え、
上記水蒸気調理を開始する前に、上記水蒸気発生部による水蒸気の供給量を設定可能であることを特徴とする加熱調理器。
【請求項２】
上記制御部は、
水蒸気調理の開始後、上記指示入力部からのユーザによる水蒸気の供給量の設定を受付け、受け付けた設定値に応じて、上記水蒸気発生部による水蒸気の供給量を制御することを特徴とする請求項１に記載の加熱調理器。
【請求項３】
上記指示入力部によって指示される水蒸気の供給量は、０を含む複数段階に設定されていることを特徴とする請求項１または２に記載の加熱調理器。
【請求項４】
上記制御部は、
調理開始時に、水蒸気の供給量０が選択された場合、調理途中に水蒸気の供給を行わないように、上記水蒸気発生部による水蒸気の供給を制御することを特徴とする請求項３に記載の加熱調理器。
【請求項５】
上記加熱調理器には、上記指示入力部によって指示された内容を表示する表示パネルが設けられ、
上記表示パネルには、水蒸気の供給量を点灯数で示す複数のマークが表示されており、
上記制御部は、
水蒸気の供給量が決定された状態のとき、上記複数のマークが設定された供給量に応じた数点灯するように、水蒸気の供給量の設定が可能な状態のとき、点灯していたマークが点滅するように、上記表示パネルの表示を制御することを特徴とする請求項１〜４の何れか１項に記載の加熱調理器。
【発明の詳細な説明】
【技術分野】
【０００１】
本発明は、加熱調理器に関し、特に過熱水蒸気を用いた調理を行う加熱調理器に関する。
【背景技術】
【０００２】
加熱調理器の一つして、過熱水蒸気を用いた調理を行う加熱調理器がある。このような加熱調理器では、調理開始時に調理中の過熱水蒸気（スチーム）の供給量を設定しているため、ユーザによって過熱水蒸気の供給量を調整することができなかった。つまり、ユーザの好みに応じて、過熱水蒸気調理における過熱水蒸気の供給量の調整を行うことができなかった。そこで、例えば、特許文献１には、ユーザによって水蒸気の供給量を調整できるオーブン装置が開示されている。
【先行技術文献】
【特許文献】
【０００３】
【特許文献１】日本国公開特許公報「特開２０１６−２１７６１０号公報」
【発明の概要】
【発明が解決しようとする課題】
【０００４】
しかしながら、特許文献１のオーブン装置では、調理途中にユーザによって水蒸気の供給量の調整を可能としているものの、調理開始時には、予め水蒸気の供給量が設定されているため、やはり、ユーザの好みを十分に反映させた水蒸気を用いた調理を行うことができなかった。【０００５】
本発明の一態様は、少なくとも調理開始の段階でユーザによるスチームの供給量が調整可能な加熱調理器を実現することを目的とする。
【課題を解決するための手段】
【０００６】
上記の課題を解決するために、本発明の一態様に係る加熱調理器は、少なくとも水蒸気を用いた調理を行う加熱調理器であって、上記水蒸気を発生して加熱庫内に供給する水蒸気発生部と、水蒸気調理に必要な水蒸気の供給量をユーザが指示する指示入力部と、上記指示入力部によって指示された水蒸気の供給量となるように、上記水蒸気発生部による水蒸気の供給を制御する制御部と、を備えていることを特徴としている。
【発明の効果】
【０００７】
本発明の一態様によれば、少なくとも調理開始の段階でユーザによる水蒸気の供給量を調整可能にできる。
【図面の簡単な説明】
【０００８】
【図１】本発明の実施形態１に係る加熱調理器の正面図である。
【図２】図１に示す加熱調理器の機能ブロック図である。
【図３】図１に示す加熱調理器に備えられた表示操作部の表示例を示す図である。
【図４】加熱前の表示パネルの表示例を示す図である。
【図５】加熱前に過熱水蒸気の供給量を選択した結果を示す図である。
【図６】本発明の実施形態２に係る加熱調理器における加熱中の表示パネルの表示例を示す図である。
【図７】図６に示す表示例から遷移したときの表示例を示す図である。
【図８】図６に示す表示例から遷移したときの表示例を示す図である。
【発明を実施するための形態】
【０００９】
〔実施形態１〕
以下、本発明の一実施形態について、詳細に説明する。
【００１０】
（加熱調理器の概略説明）
図１は、本実施形態の加熱調理器１の正面図であり、（ａ）はドア（開閉扉）３を閉めた状態を、（ｂ）はドア３を開けた状態を示す。加熱調理器１は、マイクロ波を発生するマグネトロン（図示しない）および水蒸気発生部１１（図２）を備え、加熱調理として電子レンジ調理と、水蒸気、特に１００℃を超える温度に加熱された過熱水蒸気を用いたウォータオーブン調理とを行う加熱調理器である。
【００１１】
図１に示すように、加熱調理器１は、直方体形状のケーシング２と、ドア３とを備え、ケーシング２で囲まれる空間が、被加熱物を収容するための加熱庫２ａとなっている。なお、マグネトロンはケーシング２内部（例えば、加熱庫２ａを挟んでドア３と反対側）に備えられている。
【００１２】
ドア３は、加熱庫２ａの開口部２ｂを開閉するための開閉扉であり、加熱庫２ａと対向する位置に配置される窓（窓部）３ａと、窓３ａを囲むフレーム（枠部）３ｂとを備える。窓３ａには加熱庫２ａを覗けるように、耐熱ガラスあるいは耐熱性の透明樹脂が嵌め込まれている。フレーム３ｂは、非金属材料、例えば、樹脂から形成されている。
【００１３】
ドア３は、加熱庫２ａを開閉可能に設けられており、下端の辺を略中心に回動し、上側にはドア３を開閉するためのユーザ補助としてハンドル４が取り付けられている。本実施形態では、ドア３の開閉は、ドア３の下端側の辺を略中心に回動して行われる構成であるが、これに限定されず、例えば、ドア３の左端または右端の辺を中心に回動してドア３が開閉する構成であってもよい。ドア３の詳細については、後述する。
【００１４】
また、ドア３の加熱庫２ａと対向する面に、加熱庫２ａの入り口の開口部２ｂを覆うサイズのシールド材料（図示せず）が形成されている。
【００１５】
加熱調理器１は、さらに、当該加熱調理器１に関する各種情報等を表示し、当該加熱調理器１へのユーザの操作を受け付けるための表示操作部（指示入力部）５がドア３の前面に設けられている。表示操作部５には、ダイヤル６やボタン７および操作情報等の各種情報を表示する表示パネル８が設けられている。なお、表示操作部５は、ダイヤル６やボタン７等の物理的な部材を使用しない、例えば、タッチパネルとして構成されていてもよい。表示操作部５は、後述する制御部１０に接続されており、制御部１０との間で情報の入出力を行う。制御部１０を含んだ加熱調理器１について、以下に説明する。
【００１６】
（加熱調理器１の機能ブロック）
図２は、加熱調理器１の機能ブロック図である。加熱調理器１は、図２に示すように、制御部１０を備えている。制御部１０は、表示操作部５、水蒸気発生部１１、レンジ加熱部１２、オーブン加熱部１３、冷却部１４、アンテナ回転駆動部１５、ポンプ駆動部１６、温度センサ１７が接続されている。そして、制御部１０は、主に加熱調理に関わる制御を行う加熱制御部１０ａと、表示操作部５の表示パネル８の表示制御を行う表示制御部１０ｂとを含んでいる。従って、加熱制御部１０ａは、表示操作部５のダイヤル６やボタン７、水蒸気発生部１１、レンジ加熱部１２、オーブン加熱部１３、冷却部１４、アンテナ回転駆動部１５、ポンプ駆動部１６、温度センサ１７に接続されている。一方、表示制御部１０ｂは表示操作部５の表示パネル８に接続されている。
【００１７】
水蒸気発生部１１は、加熱調理器１による過熱水蒸気を用いた調理を実行する際に駆動し、図示しない給水タンクから水を供給され、その水を加熱して水蒸気を発生する。発生した水蒸気は、加熱調理器１の加熱庫２ａ内に供給される。水蒸気発生部１１が発生する水蒸気は、過熱水蒸気（１００℃よりも温度が高い水蒸気）やそれよりも温度が低い水蒸気である。水蒸気の温度は、適宜調整可能である。また、加熱庫２ａの内部に供給された水蒸気は、加熱庫２ａ内部に配置された食品（被加熱物）を加熱する。
【００１８】
レンジ加熱部１２は、加熱調理器１によるレンジ調理を実行する際のマグネトロン（マイクロ波発生装置）であり、オーブン加熱部１３は、加熱調理器１によるオーブン調理を実行する際のヒータである。冷却部１４は、加熱調理器１による全ての加熱調理を行う際に、当該加熱調理器１内の電子部品を冷却するための冷却ファン（図示せず）を駆動させる駆動用モータである。
【００１９】
アンテナ回転駆動部１５は、レンジ調理の際に、マイクロ波を放射するアンテナ１８を回転させる。
【００２０】
ポンプ駆動部１６は、水蒸気発生部１１を作動させる際に、当該水蒸気発生部１１にタンク２０内の水を供給するためのポンプ１９を駆動させる。
【００２１】
温度センサ１７は、例えばサーミスタからなり、加熱庫２ａの内部の温度を検出する。制御部１０は、表示操作部５での設定や温度センサ１７の検出温度等に基づいて、水蒸気発生部１１等の調理に係る装置の動作を制御する。
【００２２】
上記構成の加熱調理器１は、過熱水蒸気を用いた調理を行う際に、ユーザ自身が過熱水蒸気の供給量を設定することが可能となっている。
【００２３】
（過熱水蒸気の供給量の設定）
図３は、表示操作部５の一例を示す図である。ユーザは、図３に示す表示操作部５を操作することで過熱水蒸気の供給量を設定する。
【００２４】
表示操作部５は、上述したように、ダイヤル６やボタン７および操作情報等の各種情報を表示する表示パネル８が設けられている。
【００２５】
ダイヤル６は、回転可能で、且つ、押下することが可能な回転スイッチである。例えば、表示パネル８に表示されるメニューを選択する場合、ダイヤル６を回転させて所望の項目を選択して、当該ダイヤル６を押下することで、その項目を決定することになる。
【００２６】
図３に示す表示パネル８には、調理の温度（２００℃）、調理の時間（１８分３５秒）の他に、手動マーク２１、加熱中マーク２２、過熱水蒸気量マーク２３、ウォーターオーブンマーク２４が表示されている。
【００２７】
調理の温度（２００℃）、調理の時間（１８分３５秒）については、加熱調理器１によって調理メニューに応じた値が表示される。また、手動マーク２１、加熱中マーク２２、過熱水蒸気量マーク２３、ウォーターオーブンマーク２４については、必要に応じて、点灯、点滅、消灯する。
【００２８】
具体的には、手動マーク２１は、過熱水蒸気量を手動で設定するモードのときに点灯し、過熱水蒸気を自動で設定するモードのときには消灯され、代わりに、自動マークが表示される。
【００２９】
加熱中マーク２２は、調理開始前には表示されず、調理開始後、つまり調理中に表示される。調理が終了すると、加熱中マーク２２は表示されない。また、ウォーターオーブンマーク２４は、ウォーターオーブン調理を選択したときに表示され、それ以外の調理、例えばレンジ調理の場合には表示されない。
【００３０】
過熱水蒸気量マーク２３は、手動マーク２１およびウォーターオーブンマーク２４が点灯しているときに表示される。過熱水蒸気量マーク２３は、３つの水滴マークからなり、水滴マークの点灯している数によって過熱水蒸気量、すなわち過熱水蒸気の供給量の設定状態が分かるようになっている。すなわち、水滴マークが一つも点灯していないときは、過熱水蒸気の供給量が０であることを示し、水滴マークの点灯する数が増える毎に過熱水蒸気の供給量が多くなっていることを示している。
【００３１】
加熱調理器１では、表示操作部５において、ダイヤル６により手動による過熱水蒸気の供給量の選択が可能な調理メニューを選択した場合、加熱開始前に過熱水蒸気の供給量を選択するようになっている。例えば、過熱水蒸気の供給量の選択は以下のようにユーザによって行われる。
【００３２】
なお、表示パネル８は、表示制御部１０ｂによって制御されており、上述のように、過熱水蒸気の供給量を水滴マークの点灯数で示す過熱水蒸気量マーク２３が表示されている。すなわち、表示制御部１０ｂは、過熱水蒸気の供給量が決定された状態のとき、過熱水蒸気量マーク２３を構成する複数のマークが設定された供給量に応じた数点灯するように、過熱水蒸気の供給量の設定が可能な状態のとき、点灯していたマークが点滅するように、上記表示パネル８の表示を制御する。
【００３３】
これにより、ユーザは、表示パネル８に表示されている過熱水蒸気量マーク２３が点滅状態であれば、過熱水蒸気の供給量の設定可能であることを容易に把握することができる。
【００３４】
（過熱水蒸気の供給量の選択）
図４は、加熱前の表示パネル８の過熱水蒸気の供給量の選択前の画面の一例を示す。
【００３５】
図５は、図４に示す画面において、過熱水蒸気の供給量の選択を行った後の画面の一例を示し、（ａ）は、過熱水蒸気の供給量が最大の場合を示し、（ｂ）は、過熱水蒸気の供給量が最小の場合を示し、（ｃ）は、過熱水蒸気の供給量が０、すなわち過熱水蒸気の供給が無い場合を示す。なお、図４の（ｂ）に示す画面は、過熱水蒸気の供給量の選択画面のデフォルトであり、過熱水蒸気の供給量が中の場合を示している。
【００３６】
過熱水蒸気の供給量の設定は、表示操作部５のボタン７の一つである蒸気量選択スイッチ７ａおよびダイヤル６の押下によって行う。つまり、図４の（ａ）に示すように、加熱前に、表示パネル８に手動マーク２１、過熱水蒸気量マーク２３が点灯された状態で、ユーザによって、表示操作部５の蒸気量選択スイッチ７ａが押下されると、図４の（ｂ）に示すように、過熱水蒸気量マーク２３が点滅する。過熱水蒸気量マーク２３が点滅している状態で、蒸気量選択スイッチ７ａの押下を繰り返すことで、当該過熱水蒸気量マーク２３の水滴マークの点滅数が変わる。そして、過熱水蒸気量マーク２３が点滅している状態で、所望する過熱水蒸気の供給量を示す水滴マークの点滅数になったら、ダイヤル６を押下し、過熱水蒸気の供給量を決定する。例えば、過熱水蒸気の供給量を最大に選択すれば、図５の（ａ）に示す表示画面となり、過熱水蒸気の供給量を最小に選択すれば、図５の（ｂ）に示す表示画面となり、過熱水蒸気の供給量を０に選択すれば、図５の（ｃ）に示す表示画面となる。また、過熱水蒸気の供給量の選択画面デフォルトでは、過熱水蒸気の供給量は中を示す選択画面となっているので、過熱水蒸気の供給量を中に設定する場合には、蒸気量選択スイッチ７ａを押下せず、ダイヤル６を押下するだけでよい。
【００３７】
このように、加熱前に、過熱水蒸気の供給量の選択画面において、表示操作部５の蒸気量選択スイッチ７ａの押下を繰り返すことで、水滴マークが点滅する数が変化し、過熱水蒸気の供給量の設定値が変化する。これにより、ユーザは、蒸気量選択スイッチ７ａを操作するだけで、好みの過熱水蒸気の供給量を選択することが可能となる。
【００３８】
ずなわち、上記構成の加熱調理器１の制御部１０は、ユーザが指示する指示入力部としての表示操作部５によって指示された過熱水蒸気の供給量となるように、水蒸気発生部１１による過熱水蒸気の供給量を制御している。
【００３９】
従って、上記構成の加熱調理器１では、過熱水蒸気調理に必要な過熱水蒸気の供給量をユーザが指示（選択）することができる。これにより、過熱水蒸気調理において、ユーザの好みに応じた過熱水蒸気の供給量を調整することが可能となる。
【００４０】
しかも、上記表示操作部（指示入力部）５によって設定される過熱水蒸気の供給量は、０を含む複数段階（本実施形態では４段階）に設定されている。
【００４１】
従って、表示操作部５を操作するユーザは、過熱水蒸気調理に必要な過熱水蒸気の供給量を指示する際、０を含む複数段階に設定された過熱水蒸気の供給量から選択することになる。これにより、ユーザは予め設定された供給量を選択するだけで済むので、過熱水蒸気の供給量を細かく指示するといった煩わしい操作が必要なくなる。
【００４２】
なお、本実施形態では、供給量０を含む４段階の過熱水蒸気の供給量の例を示したが、これに限定されるものではなく、過熱水蒸気の供給量は、供給量０を含む３段階あるいは５段階以上のであってもよいし、供給量０を含まない複数段であってもよい。このように、調理開始の段階でユーザによる過熱水蒸気の供給量の調整が可能となる。
【００４３】
なお、以下の実施形態２では、調理中に過熱水蒸気の供給量の調整を行う例について説明する。
【００４４】
〔実施形態２〕
以下、本発明の一実施形態について、詳細に説明する。なお、説明の便宜上、上記実施形態にて説明した部材と同じ機能を有する部材については、同じ符号を付記し、その説明を繰り返さない。
【００４５】
図６は、加熱中の表示パネル８の過熱水蒸気の供給量の選択前の画面の一例を示す。
【００４６】
図７は、過熱水蒸気量マーク２３の水滴マークが２つ点滅している状態を示している。
【００４７】
図８は、図７に示す画面において、過熱水蒸気の供給量の選択を行った後の画面の一例を示し、（ａ）は、過熱水蒸気の供給量が最大の場合を示し、（ｂ）は、過熱水蒸気の供給量が最小の場合を示し、（ｃ）は、過熱水蒸気の供給量が０、すなわち過熱水蒸気の供給が無い場合を示す。
【００４８】
ウォータオーブン調理（過熱水蒸気調理）を開始すると、図６の（ａ）に示すように、手動マーク２１、加熱中マーク２２、過熱水蒸気量マーク２３が点灯している状態から、図６の（ｂ）に示すように、加熱中であることを示すため、加熱中マーク２２が点滅する。
【００４９】
加熱中に過熱水蒸気の供給量を変更する場合、図６の（ｂ）に示す状態で、蒸気量選択スイッチ７ａがユーザによって押下されると、図７に示すように、過熱水蒸気量マーク２３が点滅する。この状態で、ダイヤル６を回転させて、図８の（ａ）〜（ｃ）に示すように、過熱水蒸気量マーク２３の水滴マークの点滅数を変更させて、所望の供給量を示す水滴マークの点滅数になったときに、ユーザによってダイヤル６が押下されることで、過熱水蒸気の供給量が決定する。例えば、過熱水蒸気の供給量を最大に選択すれば、図８の（ａ）に示す表示画面となり、過熱水蒸気の供給量を最小に選択すれば、図８の（ｂ）に示す表示画面となり、過熱水蒸気の供給量を０に選択すれば、図８の（ｃ）に示す表示画面となる。また、過熱水蒸気の供給量の選択画面デフォルトでは、過熱水蒸気の供給量は中を示す選択画面となっているので、過熱水蒸気の供給量を中に設定する場合には、蒸気量選択スイッチ７ａを押下せず、ダイヤル６を押下するだけでよい。
【００５０】
このようにして、制御部１０（加熱制御部１０ａ）は、過熱水蒸気調理の開始後、表示操作部（操作パネル）５からのユーザによる過熱水蒸気の供給量の設定を受付け、受け付けた設定値に応じて、水蒸気発生部１１による過熱水蒸気の供給量を制御している。
【００５１】
上記構成によれば、ウォータオーブン調理の開始後であっても、過熱水蒸気の供給量を変更することが可能となるので、ユーザの好みに応じた過熱水蒸気の供給量によって調理を行うことができる。
【００５２】
〔実施形態３〕
以下、本発明の一実施形態について、詳細に説明する。なお、説明の便宜上、上記実施形態にて説明した部材と同じ機能を有する部材については、同じ符号を付記し、その説明を繰り返さない。
【００５３】
本実施形態に係る加熱調理器では、加熱開始時に、過熱水蒸気の供給量が０に設定されている場合、すなわち、ウォータオーブン調理が選択されていない場合、加熱中に、過熱水蒸気の供給ができないように制御している。
【００５４】
すなわち、本実施形態に係る加熱調理器が備える制御部１０（加熱制御部１０ａ）は、調理開始時に、過熱水蒸気の供給量０が選択された場合、調理途中に過熱水蒸気の供給を行わないように、水蒸気発生部１１による過熱水蒸気の供給を制御している。
【００５５】
上記の構成によれば、調理開始時に、過熱水蒸気の供給量０が選択された場合、調理途中に過熱水蒸気の供給を行わないようになっているので、調理中の料理に過熱水蒸気を誤って供給するという問題は生じない。
【００５６】
〔変形例〕
なお、上記の例では、調理開始時に、過熱水蒸気の供給量０が選択された場合、調理途中に過熱水蒸気の供給を行わないようにしているが、調理開始時に、過熱水蒸気の供給量０が選択された場合であっても、調理途中に過熱水蒸気の供給を行ってもよい。例えば、被加熱物を過熱水蒸気無しで焦げ目が付く程度に加熱した後、過熱水蒸気による調理を行うようにできる。
【００５７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５８】
１  加熱調理器
２  ケーシング
２ａ  加熱庫
２ｂ  開口部
３  ドア
３ｂ  フレーム
４  ハンドル
５  表示操作部（指示入力部）
６  ダイヤル
７  ボタン
７ａ  蒸気量選択スイッチ
８  表示パネル
１０  制御部
１１  水蒸気発生部
１２  レンジ加熱部
１３  オーブン加熱部
１４  冷却部
１５  アンテナ回転駆動部
１６  ポンプ駆動部
１７  温度センサ
１８  アンテナ
１９  ポンプ
２０  タンク
２１  手動マーク
２２  加熱中マーク
２３  過熱水蒸気量マーク
２４  ウォーターオーブンマーク
【図１】
2020017453.tif 000003
【図２】
2020017453.tif 000004
【図３】
2020017453.tif 000005
【図４】
2020017453.tif 000006
【図５】
2020017453.tif 000007
【図６】
2020017453.tif 000008
【図７】
2020017453.tif 000009
【図８】
2020017453.tif 000010
【国際調査報告】
2020017453.tif 000011
2020017453.tif 000012
2020017453.tif 000013
2020017453.tif 000014